(57)【要約】【課題】工具の小型化、軽量化を実現し、片手で操作し制御することができる構造の充電式回転工具を提供する。【解決手段】配電工事における電線の切断、皮剥ぎ、磨き、くせ付け等の各種作業に応じた種々の作業工具を電動モーター６の回転力によって回転駆動させる工具１であって、その先端部に作業工具の取替え自在な連結金具８を備えている。【選択図】図１
2004180373.tif 000002
【特許請求の範囲】
【請求項１】
配電工事における電線の切断、皮剥ぎ、磨き、くせ付け等の各種作業に応じた種々の作業工具を電動モーターの回転力によって回転駆動させる工具であって、その先端部に作業工具の取替え自在な連結金具を備えていることを特徴とする充電式回転工具。
【請求項２】
連結金具には工具の着脱を自在に行えるようにするための連結リングが装着されていると共に、該リングが作業中に空転して作業工具が連結金具より脱落しないようにするための連結リングロック機構を備えたことを特徴とする請求項１に記載の充電式回転工具。
【請求項３】
電動モーターの回転数を作業工具が必要とする所定の回転数、回転力とするための変換歯車を設け、且つ電動モーターの回転軸の軸芯と作業工具が挿入される連結金具の回転軸の軸芯とを略同一軸芯となるようにしたことを特徴とする請求項１又は２に記載の充電式回転工具。
【発明の詳細な説明】
【０００１】
【発明の属する技術分野】
本発明は、配電線工事における電線の切断、皮剥ぎ、磨き、くせ付け等の各種作業に応じた作業工具に取り替えることができる着脱式の回転工具に関するものである。
【０００２】
【従来の技術】
従来より、配電線工事特に配電線の活線作業では、絶縁性能を有する一定長の操作棒の先端部に作業工具を連結させ、取り替える方式のものとして、回転駆動源は人力または油圧等を用いている。
【０００３】
そして、これに関する活線操作棒を本出願人も開発している（特許文献１参照。）。
【０００４】
この活線操作棒４０は作業工具Ａの可動軸４１と保持棒Ｂの回転軸４２の先端に相互に嵌合して協働可能な接続部４３，４４を設け、該接続部４３，４４を回動自由にそれぞれ内挿保持できる差込み筒４５と受入筒４６を差込み部４７と嵌合孔４８で相互に嵌合可能に構成した活線操作棒において、一方の差込み筒４５に１又は複数のロックピン４９を半径方向に突設し、他方の受入筒４６の上部の環状部５０に前記ロックピン４９を挿入しうる嵌合溝５１を軸方向に穿設するとともにその円周方向で嵌合溝５１に臨む位置に係止爪５２を出没しロックピン４９を係脱するロック機構５３を備え、かつ該環状部５０の外周にロック解除リング５４を回動自由に嵌めて該リング５４とロック機構５３の係止爪５２を連動させ、前記接続部４３，４４をそれぞれ内挿した差込み筒４５と受入筒４６を挿入して接続部４３，４４を嵌合するとともにロックピン４９をロック機構５３の係止爪５２で嵌合溝５１に係脱する構成としている。
【０００５】
この考案によって電柱等の高所における作業工具の取替え作業の際にワンタッチで装着及びロックができ、簡単に解除することもできることから活線作業を迅速、安全且つ確実に行うことができるようになった。
【０００６】
【特許文献１】
実公平５−１４６５０号公報
【０００７】
【発明が解決しようとする課題】
しかしながら、配電工事に使用する操作棒は長尺のため作業場所へ容易に接近することが困難であり、人力の回転駆動も多大な労力を要していた。
【０００８】
また、従来の作業工具では地上作業が困難であることから、架設電線における活線作業を中心に使用されてきたが、最近では電柱上、地上を問わず使用範囲の拡大要求が高まってきている。
【０００９】
本発明は上記点に鑑み工具の小型化、軽量化を実現し、片手で操作し制御することができる構造の充電式回転工具を提供することを目的とする。
【００１０】
【課題を解決するための手段】
請求項１の発明は、配電工事における電線の切断、皮剥ぎ、磨き、くせ付け等の各種作業に応じた種々の作業工具を電動モーターの回転力によって回転駆動させる工具であって、その先端部に作業工具の取替え自在な連結金具を備えていることに特徴を有する。
【００１１】
請求項２の発明は、連結金具には工具の着脱を自在に行えるようにするための連結リングが装着されていると共に、該リングが作業中に空転して作業工具が連結金具より脱落しないようにするための連結リングロック機構を備えたことに特徴を有する。
【００１２】
請求項３の発明は、電動モーターの回転数を作業工具が必要とする所定の回転数、回転力とするための変換歯車を設け、且つ電動モーターの回転軸の軸芯と作業工具が挿入される連結金具の回転軸の軸芯とを略同一軸芯となるようにとしたことに特徴を有する。
【００１３】
【発明の実施の形態】
次に、本発明の実施形態を図面に基づいて説明する。図１は本発明に係る充電式回転工具を正面から見た一部断面図である。また、図２は左側面図である。この充電式回転工具１は握り部２の下方に充電式のバッテリー３が内蔵されている。そして、握り部２の上方には人差し指で回転のオンオフを行うことができるスイッチ４が設置されており、このスイッチ４の近傍には回転を正方向から逆方向に切り替えるための切替レバー５が設置されている。
【００１４】
そして、切替レバー５の上方には回転の駆動源である電動モーター６が内蔵されているのである。さらに、電動モーター６の上方には、この電動モーター６の回転速度を切り替えることができる速度切替レバー７が設置されている。
【００１５】
以上の構成は市販されている電動式ドリルの構成をそのまま使用することができるので、新たに開発する必要がなく低コストの充電式回転工具を提供することができるのである。
【００１６】
次に、電動モーター６の回転を連結ソケット８に取り付けられる作業工具に伝達するための伝達部９について説明する。先ず、電動モーター６の回転によって第１歯車１０が回転する。そして、第１歯車１０と噛み合う第２歯車１１ａが回転し、この第２歯車１１ａと一体化している第３歯車１１ｂが回転する。最後に第３歯車１１ｂと噛み合う第４歯車１２が回転して、この第４歯車１２と一体化している連結ソケット８が回転するのである。
【００１７】
したがって、第２歯車１１ａと第３歯車１１ｂの大きさを適宜変更することによって、電動モーター６の回転速度を作業工具が必要とする所望の回転速度に変換調節することができるのである。
【００１８】
また、第４歯車１２の回転軸と電動モーター６の回転軸とが同一直線上にくるように設計されているので、作業工具を取り付けて使用する場合に電動モーター６の振動を抑えることができ、握り部２を把持する手がぶれことがないので、正確な作業を行うことができるのである。
【００１９】
図３は充電式回転工具に取り付けられる作業工具の一つである電線切断工具を示す説明図である。この図３と図１及び図２とを用いて電線切断工具１３と本発明に係る充電式回転工具１との連結について説明する。先ず、電線切断工具１３は連結回転軸１５を正逆回転させることによってホルダー１６が上下動し、さらに、リンク機構１７が作動して電線切断刃１８ａ，１８ｂの開閉を行うようになっている。尚、この電線切断工具１３に関する詳細については本出願人の特許出願２００２−２９０８４６号に記載されている。
【００２０】
そして、電線切断工具１３の連結回転軸１５が充電式回転工具１の連結ソケット８に嵌合し、電線切断工具１３の係合突起１９，１９が係合溝２０，２０に挿入され係合されるのである。この時、連結リング２１をばね２２の付勢に抗するように回転させて、挿入溝２３，２３から係合突起１９，１９が挿入されるようになっているのである。そして、電線切断工具１３の係合突起１９，１９が係合溝２０，２０に挿入された時に連結リング２１を離すとばね２２の付勢によって回転して、連結リング２１の係止突起２４が係合突起１９，１９の前方にくることによって電線切断工具１３と充電式回転工具１の連結がなされるのである。
【００２１】
ここで、作業中に連結リング２１に何らかの力が働いて連結リング２１がばね２２の付勢に抗する方向に回転した場合には充電式回転工具１から電線切断工具１３が抜け落ちてしまうことになる。
【００２２】
これを防止する機構が連結ロック機構である。この機構は図１に示す連結ロック部材２５を上方に押すことによって、連結金具２６が回転できなくなり、この連結金具２６に固定されている連結リング２１も回転できなくなることから電線切断工具１３が充電式回転工具１から抜け落ちるのを防止しているものである。
【００２３】
図４及び図５には、作業工具の他例として、電線くせ付け工具２７を示す。尚、この電線くせ付け工具２７も上述の電線切断工具１３の連結及びロックと同様にして充電式回転工具１と連結及びロックがなされるので、これに関する説明は省略する。
【００２４】
この電線くせ付け工具２７は図５に示す位置に電線２８を載置したのち、充電式回転工具１を正回転させると、可動アーム２９が回転してローラ３０ａ，３０ｂに挟まれた電線２８が曲げられるのである。また、充電式回転工具１を逆回転させると、可動アーム２９が電線２８を曲げる方向とは反対の方向に回転して、曲げが付いている電線２８を伸ばすために使用することもできるのである。
【００２５】
尚、本発明の趣旨を逸脱しない範囲において、種々の実施形態をとるこができることは言うまでもない。上記実施形態では作業工具として電線切断工具１３と電線くせ付け工具２７に関して説明しているがこれらに限定されるものではなく、充電式回転工具１に着脱できる機構を付加することによって様々な工具に応用することができるものである。
【００２６】
【発明の効果】
請求項１の発明は、配電工事における電線の切断、皮剥ぎ、磨き、くせ付け等の各種作業に応じた種々の作業工具を電動モーターの回転力によって回転駆動させる工具であって、その先端部に作業工具の取替え自在な連結金具を備えていることに特徴を有するので、各種の回転式作業工具への着脱を容易に行うことができる。また、市販されている充電式回転ドリルを利用することもできるので便利である。さらに、本発明に係る充電式回転工具は電柱上、地上を問わず作業を行うことができる。
【００２７】
請求項２の発明は、連結金具には工具の着脱を自在に行えるようにするための連結リングが装着されていると共に、該リングが作業中に空転して作業工具が連結金具より脱落しないようにするための連結リングロック機構を備えたことに特徴を有するので、作業工具が脱落することがなく、作業の安全性を確保することができる。
【００２８】
請求項３の発明は、電動モーターの回転数を作業工具が必要とする所定の回転数、回転力とするための変換歯車を設け、且つ電動モーターの回転軸の軸芯と作業工具が挿入される連結金具の回転軸の軸芯とを略同一軸芯となるようにしたことに特徴を有するので、電動モーターの振動を抑えることができ、握り部を把持する手がぶれないので、正確な作業を行うことができる。
【図面の簡単な説明】
【図１】本発明に係る充電式回転工具を正面から見た一部断面図である。
【図２】本発明に係る充電式回転工具の左側面図である。
【図３】電線切断工具を示す説明図である。
【図４】電線くせ付け工具の斜視図である。
【図５】電線くせ付け工具の断面図である。
【図６】活線操作棒を示す従来図である。
【符号の説明】
１  充電式回転工具
２  握り部
３  バッテリー
４  スイッチ
５  切替レバー
６  電動モーター
７  速度切替レバー
８  連結ソケット
９  伝達部
１０  第１歯車
１１ａ  第２歯車
１１ｂ  第３歯車
１２  第４歯車
１３  電線切断工具
１９  係合突起
２０  係合溝
２１  連結リング
２２  ばね
２３  挿入溝
２４  係止突起
２５  連結ロック部材
２６  連結金具
２７  電線くせ付け工具
【図１】
2004180373.tif 000003
【図２】
2004180373.tif 000004
【図３】
2004180373.tif 000005
【図４】
2004180373.tif 000006
【図５】
2004180373.tif 000007
【図６】
2004180373.tif 000008